(57)【要約】【課題】  ＣＤケースなどの薄い小物類を複数枚収納することができ、かつ収納されたＣＤケースなどが取出しやすい構造となっており、さらに小物類もＣＤケースなどと同じスペースに収納することができる小物収納構造を提供する。【解決手段】  車両室内に、小物類を収納するための収納部を設けた小物収納構造において、収納部４の底面部を取外し可能な取付部品１１，２１，３１，４１で構成した。また、前記取付部品１１に、第１の面部と、該第１の面部の裏側に該第１の面部と形状が異なる第２の面部を設け、前記取付部品が、前記第１の面部と前記第２の面部の向きを入れ替えて前記底面部に取付けることができるようにした。【選択図】      図２
2005081970.tif 000002
【特許請求の範囲】
【請求項１】
車両室内に、小物類を収納するための収納部を設けた小物収納構造において、前記収納部の底面部を取外し可能な取付部品で構成したことを特徴とする小物収納構造。
【請求項２】
前記取付部品に、第１の面部と、該第１の面部の裏側に該第１の面部と形状が異なる第２の面部を設け、前記取付部品が、前記第１の面部と前記第２の面部の向きを入れ替えて前記底面部に取付けることができるようにしたことを特徴とする請求項１に記載の小物収納構造。
【請求項３】
前記取付部品に、前記第１の面部から上方に延びる複数の縦壁面を設け、該複数の縦壁面をそれぞれ収納部の幅方向に間隔をおいて形成していることを特徴とする請求項２に記載の小物収納構造。
【請求項４】
前記収納部の上面部に、該上面部から下方に延びる縦壁面を設け、該縦壁面がそれぞれ前記第１の面部に設けた縦壁面と同一面内となるように形成されていることを特徴とする請求項３に記載の小物収納構造。
【請求項５】
前記取付部品に前記第２の面部は、外側の周囲を囲む枠形状と、該枠形状の内側部分が凹んだ凹形状とを形成したことを特徴とする請求項２または３に記載の小物収納構造。
【請求項６】
前記収納部に隣接して電源部品が配置されていることを特徴とする請求項１から５のいずれかに記載の小物収納構造。
【請求項７】
前記収納部は、インストルメントパネルの中央下部に配置されていることを特徴とする請求項１から６のいずれかに記載の小物収納構造。
【発明の詳細な説明】
【技術分野】
【０００１】
本発明は、車両室内に設けた１つの収納スペースを利用して、ＣＤケースや小物類を最適に収納することができる小物収納構造に関する。
【背景技術】
【０００２】
図９は、車両内部のインストルメントパネル（以下、インパネという）の部分を示している。インパネ５０には、利用者が小物類を入れておくための小物入れ５１が設けられており、この小物入れ５１には、開口部を有する収納部５２が備えられている。図１０に示すように、この収納部５２に、例えば、音楽用のＣＤケース５３などを収納する場合には、数枚のＣＤケース５３の平面部分５４を互いに密着させた状態で積重ねていた。
また、他の収納構造としては、インパネの下部に、複数の仕切り板を上下方向に向けて配設したＣＤ専用ケースを設け、ＣＤケースが仕切り板により一枚一枚収められるようになっているものがある（例えば、特許文献１参照）。
【特許文献１】特開２００１−２３３１１２号公報
【発明の開示】
【発明が解決しようとする課題】
【０００３】
しかしながら、図１０に示すように、仕切り板を設けていない通常の小物入れに数枚のＣＤケース５３を収納させた場合、それぞれのＣＤケース５３を収納するという機能は満たしているが、その中の目当てのＣＤケース５３を１枚だけ取出そうとする際に不便であった。そのため、図１１に示すように、収納部５２に仕切り板５５を設け、それぞれのＣＤの間に隙間を設けるようにすることもできる。しかし、仕切り板５５で区切られた収納部５２に小物類を入れようとした場合、小物類がこの仕切り板５５と干渉してしまうため、うまく収納することができない。ゆえに、仕切り板５５を設けた小物入れ５１は、ＣＤケース５３の専用の入れ物になってしまう。
【０００４】
また、特許文献１に記載の構成では、ＣＤケース以外の小物類を車室内に収納する場合、上述のＣＤ専用ケースの他に小物類を収納するための小物入れを別途設ける必要が生じていた。そのため、インパネ部分の部品コストが高くなると共に、インパネ部分のスペースを有効に利用することができないという不都合が生じていた。
【０００５】
本発明はこのような実情に鑑みてなされたものであって、その目的は、ＣＤケースなどの薄い小物類を複数枚収納することができ、かつ収納されたＣＤケースなどが取出しやすい構造となっており、さらに小物類もＣＤケースなどと同じスペースに収納することができる小物収納構造を提供することにある。
【課題を解決するための手段】
【０００６】
車両室内に、小物類を収納するための収納部を設けた小物収納構造において、前記収納部の底面部を取外し可能な取付部品で構成した。
また、前記取付部品に、第１の面部と、該第１の面部の裏側に該第１の面部と形状が異なる第２の面部を設け、前記取付部品が、前記第１の面部と前記第２の面部の向きを入れ替えて前記底面部に取付けることができるようにする。
【０００７】
前記取付部品に、前記第１の面部から上方に延びる複数の縦壁面を設け、該複数の縦壁面をそれぞれ収納部の幅方向に間隔をおいて形成する。
さらに、前記収納部の上面部に、該上面部から下方に延びる縦壁面を設け、該縦壁面がそれぞれ前記第１の面部に設けた縦壁面と同一面内となるように形成することもできる。
【０００８】
前記取付部品に前記第２の面部は、外側の周囲を囲む枠形状と、該枠形状の内側部分が凹んだ凹形状とを形成した。
また、前記収納部に隣接して電源部品が配置されるようにしてもよい。
さらに、前記収納部は、インストルメントパネルの中央下部に配置されている。
【発明の効果】
【０００９】
収納部の底面部を入れ替えることができる構造としているので、色々な形状の小物類を収納することができる。
また、１つの取付部品に２つの形状が設けられているので、１つの取付部品に１つの形状が設けられている場合に比べて、取付部品の種類を少なくすることができるとともに、一方の取付部品を使用しているときに、使用していない他方の取付部品を保管する場所を設けなくてもよい。
さらに、ＣＤケースなどの比較的薄くて複数のものを取出しやすい状態で収納することができる。
【００１０】
ＣＤケースなどの比較的薄いものを上下の位置にある面で支えているので、ＣＤケースなどを倒れにくい状態で収納することができる。
小物類を受ける面が周辺（枠形状）より低くなっているので、収納部（トレイ）に置いた小物類の落下を防ぐことができる。
【００１１】
また、収納部に隣接して電源部品を設けているので、携帯電話などの電気製品の充電が可能となり、利便性が向上する。
収納部を車室内のインパネに形成しているので、運転席周りのスペースを有効に活用することができる。
【発明を実施するための最良の形態】
【００１２】
以下、本発明の実施をするための最良の形態について、図１〜図８を用いて詳細に説明する。
【００１３】
図１（ａ）は、車両の前側座席の前面に設けられたインストルメントパネル１（以下、インパネという）部分の斜視図を示している。このインパネ１には、運転席と助手席の間にラジオ２やＣＤ再生装置３などが別体または一体に設けられており、さらにその下部には、ＣＤケースや小物類を入れることができる収納部４が設けられている。
【００１４】
この収納部４は、インパネ１の表面に設けられた開口部５から車両前側方向に窪んだ形状に形成されている。この窪んだ収納部４の内側には、底面部６、上面部７、奥側面部８、左面部９、および右面部１０がそれぞれ形成されており、これらの上面部７、奥側面部８、左面部９、および右面部１０は、インパネ１を成形する際に、インパネ１と一体に成形されている。
なお、底面部６と上面部７の高さ方向の間隔は、一般に流通している音楽ＣＤなどのケース１２を縦にして収納することができる程度に設定されている。
【００１５】
図１（ａ）および図１（ｂ）に示すように、収納部４の底面部６には、該底面部６から取外し可能な取付部品１１が別体として取付けられるようになっている。この取付部品１１には、ＣＤケース１２（図２参照）を収納する際に使用する第１の面部１３（以下、表面部という）と、ティッシュなどの小物類を収納する際に使用する第２の面部１４（以下、裏面部という）が形成されている。
【００１６】
また、この取付部品１１には、図２に示すように、開口部５の側の端部に取付部１１ｂと、奥側面部８側の端部に取付部１１ａが設けられている。取付部１１ａは、取付部品の幅方向の中央の位置に、取付部品１１の全幅のほぼ半分の長さに形成されている。取付部１１ｂは、１つ当たりの幅が取付部１１ａよりも小さく、取付部品１１の幅方向の中央と、この中央から左右の位置に間隔をおいてそれぞれ３箇所設けられている。この取付部１１ａ，１１ｂは、図２に示す一つの基準面Ａの面内にそれぞれ形成されている。
他方、底面部６には、開口部５の側の端部に固定部６ｂと、奥側面部８側の端部に固定部６ａが、取付部１１ａ，１１ｂと同様に、車両幅方向の対応する位置にそれぞれ設けられている。この固定部６ａには、取付部品１１を保持するための保持具１９が設けられている。
【００１７】
取付部品１１は、取付部１１ａが固定部６ａの保持具１９に挿入されたのちに、取付部１１ｂが固定部６ｂに嵌合して取付けられている。この保持具１９の内部は、取付部１１ａを車両前後方向にスライドさせることができ、取付部１１ｂを固定部６ｂから容易に着脱できるようになっている。なお、取付部１１ａの先端部と保持具１９の内部には、それぞれ図示しない爪部が形成されており、取付部品１１を保持具１９に取付けた状態でこの爪部が係合するようになっている。
これにより、取付部品１１は、この基準面Ａが同一面となるようにして、表面部１３と裏面部１４の向きを入れ替えることができるようになっている。
【００１８】
取付部品１１の表面部１３には、表面部１３から上方に延びる複数の仕切り板１５ａ（縦壁面）が設けられている。この複数の仕切り板１５ａは、ＣＤケース１２を一枚ずつ区切りながら収納するために、それぞれ収納部４の幅方向（車両幅方向）に間隔をおいて形成されていると共に、仕切り板１５ａがそれぞれ収納部４の幅方向と略直交する方向（車両前後方向）に延びるように形成されている。仕切り板１５ａの上下方向の長さは、図２に示すように、ＣＤケース１２の下側部分を区切ることができる程度に形成されている。
【００１９】
収納部４の上面部７には、上面部７から下側方向に延びる仕切り板１５ｂが形成されている。表面部１３と上面部７に設けられた複数の仕切り板１５ａ，１５ｂは、ＣＤケース１２を縦にして収納することができるように、上下に対して対向して配置され、仕切り板１５ａ，１５ｂのＣＤを受ける面が同一面内となるように幅方向で合わせられている。
【００２０】
また、上面部７には、板ばね３５が取付けられている。この板ばね３５は、一端が上面部７から上側方向に突出しているボス３６にねじ３７により固定され、他端が曲げられて収納部４の内部に配置されており、収納したＣＤケース１２の上部が下方向に押さえられるようになっている。これにより、ＣＤケース１２が車両の振動により収納部４から飛出したりしないようにしている。
【００２１】
取付部品１１の裏面部１４には、図３（ｂ）、および図４に示すように、小物類を置くためのトレイ１７が形成されている。このトレイ１７は、表面部１３の底面１６ａと板厚を挟んで裏側に位置する底面１６ｂが設けられており、この底面１６ｂは、取付部１１ａ，１１ｂの高さ位置より下方向へ凹んだ凹形状に形成されている。この底面１６ｂの周囲は、底面１６ｂを囲むように枠形状に形成されている。
【００２２】
また、裏面部１４には、把持片１８が設けられている。この把持片１８は、開口部５の付近に車両幅方向に一定の長さ有し、取付部１１ｂからトレイ１７の凹み方向と反対方向に突出して形成されている。この把持片１８は、取付部品１１を底面部６から着脱するときに取付部品１１をつまむことができるようになっている。
【００２３】
取付部品１１が取付けられる下側のスペースには、図２に示すロアボックス２４が設けられている。このロアボックス２４のスペースは、表面部１３が下側になるように取付けられた際に、基準面Ａより下側に突出している仕切り板１５ａの部分を納めることができる程度に設定されている。
なお、ロアボックス２４には、上述の仕切り板１５ａが突出している部分と干渉しなければ、他の小物類を収納することもできるようになっている。取付部品１１を蓋として用いることにより、ロアボックス２４内の収納品を人目に触れないようにすることができるので、財布などの貴重品を収納するのに適している。
【００２４】
また、上述の取付部品１１の形状の他に、他の形状を設けた取付部品をオプションとして持つことができる。図５に示す取付部品２１には、携帯電話２０を立てた状態で収納することができるように底部の凹みを深くすると共に、携帯２０を立てかける縦壁面２３などが形成されている。
この取付部品２１には、取付部２１ａ，２１ｂが設けられている。この取付部２１ａ，２１ｂは、上述の取付部品１１の取付部１１ａ，１１ｂと同じ形状に設けられており、それぞれの固定部６ａ，６ｂと嵌合できるようにすることで、取付部品１１と互換性を有するようになっている。
【００２５】
また、インパネ１の収納部４に隣接する上側部分には、電源を供給する電源部品２２が設けられている。この電源部品２２は、携帯電話２０などにケーブル２８を介して接続され、電気を供給することができるようになっている。
【００２６】
本発明の実施をするための最良の形態に係る小物収納構造では、収納部４自体の設置スペースを小さくすることができるとともに、様々な小物類を収納することができる収納構造を実現することができる。また、小物入れの設置スペースを最小限度にすることにより、インパネ内のレイアウトの自由度を増やすことができる。
【００２７】
以上、本発明を実施するための最良の形態について述べたが、本発明は既述の実施形態に限定されるものではなく、本発明の技術思想に基づいて各種の変形および変更が可能である。
例えば、本案では、ＣＤケース１２や、小物類や、携帯電話２０を収納できるように取付部品１１，２１を構成したが、同様に、底面１６ａを上側に底上げしてＣＤケース１２よりも小さなＭＤケース２５を収納できるような取付部品３１を構成したり（図６（ａ）、図６（ｂ）参照）、底面１６ａにいくつかの凹部を設けて筆記具類２７を収納できるような取付部品４１（図７、図８参照）を構成することができる。
【００２８】
また、本発明では、底面部６を取外し可能な取付部品１１，２１で構成したが、インパネ１の構造によっては、底面部６の代わりに収納部４の左面部９および右面部１０を取外し可能な取付部品で構成してＣＤケース類を横にして収納してもよい。さらに、上面部７についても、収納物の形状に合わせて取外すことができる構造にすることができる。
【図面の簡単な説明】
【００２９】
【図１】本発明を実施するための最良の形態に係る小物収納構造をインパネ部分に構成したものであって、（ａ）は第１の面が取付けられるようになっている構造の全体斜視図、（ｂ）は第１の面を上方に向けた取付部品の単品斜視図である。
【図２】本発明を実施するための最良の形態に係る小物収納構造であって、図１（ａ）のＢ−Ｂ断面図である。
【図３】本発明を実施するための最良の形態に係る小物収納構造をインパネ部分に構成したものであって、（ａ）は第２の面が取付けられるようになっている構造の全体斜視図、（ｂ）は第２の面を上方に向けた取付部品の単品斜視図である。
【図４】本発明を実施するための最良の形態に係る小物収納構造であって、図３（ａ）のＣ−Ｃ断面図である。
【図５】本発明を実施するための最良の形態に係る小物収納構造であって、携帯電話を収納している状態を示す断面図である。
【図６】本発明を実施するための最良の形態に係る小物収納構造であって、（ａ）はＭＤケースを収納した状態を示す断面図、（ｂ）は取付部品の全体斜視図である。
【図７】本発明を実施するための最良の形態に係る小物収納構造であって、筆記具類を収納している状態を示す断面図である。
【図８】本発明を実施するための最良の形態に係る小物収納構造であって、筆記具類を収納するための取付部品の全体斜視図である。
【図９】従来の小物収納構造をインパネ部に設けた状態を示す斜視図である。
【図１０】従来の小物収納構造であって、図９のＡ−Ａ断面図である。
【図１１】従来の小物収納構造に仕切り板を設けた側部断面図である。
【符号の説明】
【００３０】
１  インストルメントパネル（インパネ）
２  ラジオ
３  ＣＤ再生装置
４  収納部
５  開口部
６  底面部
６ａ  開口部側の固定部
６ｂ  奥側面部側の固定部
７  上面部
８  奥側面部
９  左面部
１０  右面部
１１  取付部品
１１ａ  開口部側の取付部
１１ｂ  奥側面部側の取付部
１２  ＣＤケース
１３  第１の面部（表面部）
１４  第２の面部（裏面部）
１５ａ  第１の面部の仕切り板
１５ｂ  上面部の仕切り板
１６ａ  第１の面部の底面
１６ｂ  第２の面部の底面
１７  トレイ
１８  把持片
１９  保持具
２０  携帯電話
２１  取付部品
２１ａ  開口部側の取付部
２１ｂ  奥側面部側の取付部
２２  電源部品
２３  縦壁面
２４  ロアボックス
２２２２２５  ＭＤケース
２７  筆記具類
２８  ケーブル
３１  取付部品
４１  取付部品
５０  インパネ
５１  小物入れ
５２  収納部
５３  ＣＤケース
５４  ＣＤケースの平面部分
５５  仕切り板
【図１】
2005081970.tif 000003
【図２】
2005081970.tif 000004
【図３】
2005081970.tif 000005
【図４】
2005081970.tif 000006
【図５】
2005081970.tif 000007
【図６】
2005081970.tif 000008
【図７】
2005081970.tif 000009
【図８】
2005081970.tif 000010
【図９】
2005081970.tif 000011
【図１０】
2005081970.tif 000012
【図１１】
2005081970.tif 000013